(57)【要約】【構成】通信回線に接続しているカメラ装置および画像蓄積サーバで構成されている遠隔監視システムにおいて、カメラ装置の交換作業が行われるとき、まず、カメラ装置の交換前に、画像蓄積サーバがカメラ装置に対しカメラ装置の設定データを要求する。カメラ装置は要求に対し設定データが送信し、画像蓄積サーバは送信された設定データをどのカメラ装置から送信された設定データかを識別できるように記録媒体に保存し管理する。次に、カメラ装置の交換後、画像蓄積サーバは保存しているカメラ装置の設定データを交換後のカメラ装置に送信する。カメラ装置は、画像蓄積サーバから送信された設定データを自身の設定データとして書込み、以降、書込まれた設定データを自身の設定データとして使う。【効果】通信回線に組み込まれているカメラ装置の交換するとき、交換後のカメラ装置の設定を交換前のカメラ装置の設定と容易に同じ設定にすることができる。【選択図】　図１
2004096580.tif 000002
【特許請求の範囲】
【請求項１】
通信回線に接続されるかつ動作条件データに従って動作する端末装置から送信される送信データを管理するデータ管理装置において、
前記端末装置を別の端末装置に交換する交換作業の開始操作が行われたとき前記通信回線を通して前記端末装置から前記動作条件データを取得する取得手段、前記取得手段によって取得された動作条件データを保存する保存手段、および前記交換作業の終了操作が行われたとき前記保存手段によって保存された動作条件データを前記通信回線を通して前記別の端末装置に送信する第１送信手段を備えることを特徴とする、データ管理装置。
【請求項２】
新規の端末装置を前記通信回線に接続する接続作業の終了作業が行われたとき前記保存手段によって保存された動作条件データを前記通信回線を通して前記新規の端末装置に送信する第２送信手段をさらに備える、請求項１記載のデータ管理装置。
【請求項３】
前記端末装置は監視カメラ装置であり、前記送信データは撮影画像データである、請求項１または２記載のデータ管理装置。
【請求項４】
通信回線に接続されるかつ動作条件データに従って動作する端末装置から送信される送信データを管理するデータ管理装置の端末制御方法であって、
（ａ）　前記端末装置を別の端末装置に交換する交換作業の開始作業が行われたとき前記通信回線を通して前記端末装置から前記動作条件データを取得し、
（ｂ）　前記ステップ（ａ）で取得された動作条件データを保存し、そして
（ｃ）　前記交換作業の終了操作が行われたとき前記ステップ（ｂ）で保存された動作条件データを前記通信回線を通して前記別の端末装置に送信する、端末制御方法。
【請求項５】
通信回線に接続されるかつ動作条件データに従って動作する端末装置から送信される送信データを管理するデータ管理装置によって実行される端末制御プログラムであって、
前記端末装置を別の端末装置に交換する交換作業の開始操作が行われたとき前記通信回線を通して前記端末装置から前記動作条件データを取得する取得ステップ、
前記取得ステップで取得された動作条件データを保存する保存ステップ、および
前記交換作業の終了操作が行われたとき前記保存ステップで保存された動作条件データを前記通信回線を通して前記別の端末装置に送信する送信ステップを備える、端末制御プログラム。
【発明の詳細な説明】
【０００１】
【発明の属する技術分野】
この発明は、データ管理装置に関し、特にたとえば、遠隔監視システムで用いられ、通信回線を介して接続されている端末装置とデータ通信を行う、データ管理装置に関する。
【０００２】
【従来技術】
コンピュータネットワークを利用した遠隔監視システムは、通信機能を備える単数もしくは複数のカメラ装置と、カメラ装置からの撮像データを蓄積する画像蓄積サーバとによって構成されている。カメラ装置の設定作業は各々のカメラ装置に対して手動で行われ、カメラ装置はこの設定作業によって内部メモリに保存された設定値に従う動作条件で撮影動作を行う。
【０００３】
【発明が解決しようとする課題】
しかし、動作条件が設定済みのカメラ装置Ａを設定値が未設定のカメラ装置Ｂに交換するとき、カメラ装置Ａにした設定作業と同じ作業をカメラ装置Ｂに対して手動で行う必要があり、作業効率が非常に悪かった。
【０００４】
それゆえに、この発明の主たる目的は、通信回線に接続されるかつ動作条件データに従って動作する端末装置を交換する際に必要な設定作業の効率化を図ることができる、データ管理装置を提供することである。
【０００５】
【課題を解決するための手段】
この発明は、通信回線に接続されるかつ動作条件データに従って動作する端末装置から送信される送信データを管理するデータ管理装置において、端末装置を別の端末装置に交換する交換作業の開始操作が行われたとき通信回線を通して端末装置から動作条件データを取得する取得手段、取得手段によって取得された動作条件データを保存する保存手段、および交換作業の終了操作が行われたとき保存手段によって保存された動作条件データを通信回線を通して別の端末装置に送信する第１送信手段を備えることを特徴とする、データ管理装置である。
【０００６】
【作用】
通信端末およびサーバはネットワークに接続される。通信端末の交換作業が開始されると、通信端末の交換前に、サーバに対し交換作業の開始操作が行われる。サーバは通信端末に対し、通信端末の設定データを送信するよう要求する。通信端末はサーバの要求に対して設定データを送信する。サーバは、通信端末の設定データを受信すると、どの通信端末の設定データかを区別できるように記録媒体に保存する。
【０００７】
次に、通信端末交換後、通信端末の交換が完了したことを知らせる操作が行われる。サーバは、保存した通信端末の設定データを交換後の通信端末に対し送信することができる。通信端末は、サーバから送信された設定データを受信すると、受信した設定データを自身の設定データとして書込み、以後、書込まれた設定データを自身の設定データとして使う。
【０００８】
【発明の効果】
この発明によれば、通信端末の交換作業が行われるとき、交換前の通信端末の設定データをサーバが保存し、サーバに保存されている通信端末の設定データを交換後の通信端末に書込む。このため、システムに組み込まれていた通信端末を通信回線から外し、新たな通信端末を通信回線に組み込む交換をした場合、交換前の通信端末の設定内容と交換後の通信端末の設定内容とを容易に同じ設定内容にすることができる。つまり、この発明を使うと通信端末の交換の作業効率が向上する。
【０００９】
この発明の上述の目的，その他の目的，特徴および利点は、図面を参照して行う以下の実施例の詳細な説明から一層明らかとなろう。
【００１０】
【実施例】
図１を参照して、この実施例の遠隔監視システム１０は、大量の画像を記憶できる記憶容量を有する画像蓄積サーバ１２を含む。画像蓄積サーバ１２は、ネットワーク２０を介して複数のカメラ装置１６、１６、…、と接続する。
【００１１】
画像蓄積サーバ１２の内部構成を図２に示す。内部メモリ１０２は、ＣＰＵ１０６で動作中のソフトウェアおよびカメラ装置１６から送られてくる画像データの他に、ＣＰＵ１０６で実行されるプログラムやカメラ装置１６から読取ったオリジナル設定テーブルを一時的に記憶する。ＨＤＤ１０４は、カメラ装置１６から送られてくる大量の画像データの他に、オリジナル設定テーブル２１４、サンプル設定テーブル１１２、１１２、…、およびカメラＩＤ−ＩＰアドレス相対表を保存する。ＣＰＵ１０６は、ソフトウェアを実行することにより、カメラ装置１６に対応するプロトコルのサポート、カメラ装置１６とのコマンドのやり取り、およびカメラ装置１６から送られてくる画像データの受信を行う。なお、外部との通信はＩ／Ｆ１０８を介して行われる。
【００１２】
各々のカメラ装置１６は、図３に示すように構成される。被写体は撮像素子２０２によって撮影され、撮影された画像データは内部メモリ２１０に一時的に格納される。フラッシュメモリ２０４は、ＣＰＵ２０８で実行されるプログラム２１６、あらかじめ設定値（動作条件）が決められているデフォルト設定テーブル２１２、およびオペレータが所望する設定値を保持するオリジナル設定テーブル２１４を記録する。ＣＰＵ２０８は、フラッシュメモリ２０４に記録されているプログラム１０６を実行し、フラッシュメモリ２０４に記録されているデフォルト設定テーブル２１２またはオリジナル設定テーブル２１４に基づいて撮影動作を制御したり、撮影した画像データを画像蓄積サーバ１２に送信したりする。また、ＣＰＵ２０８は画像蓄積サーバ１２との設定テーブル２１４の送受信も制御する。なお、外部との通信はＩ／Ｆ２０６を介して行われる。
【００１３】
図４（Ａ）にデフォルト設定テーブル２１２の設定項目例および設定値例を示し、図４（Ｂ）にオリジナル設定テーブル２１４の設定項目例および設定値例を示す。デフォルト設定テーブル２１２の設定項目とオリジナル設定テーブル２１４の設定項目とは同じものである。デフォルト設定テーブル２１２とオリジナル設定テーブル２１４の違いは、デフォルト設定テーブル２１２の設定値があらかじめ決められており書換えが不可能であるのに対し、オリジナル設定テーブル２１４の設定値はオペレータによって任意に変更できる点である。デフォルト設定テーブル２１２の設定値は、オリジナル設定テーブル２１４が空き状態のときのみ有効となる。つまり、オリジナル設定テーブル２１４に設定値が記録されているときは、オリジナル設定テーブル２１４の設定値が優先され、デフォルト設定テーブル２１２の設定値は使用されない。
【００１４】
デフォルト設定テーブル２１２およびオリジナル設定テーブル２１４の設定項目は、カメラＩＤ１０２２／１１２２、カメラ装置１６自身の設置場所１０２４／１１２４、カメラ装置１６自身のＩＰアドレス１０２６／１１２６、撮影方向１０２８／１１２８、ズーム倍率１０３０／１１３０、画像の解像度１０３２／１１３２、画像の圧縮率１０３４／１１３４、画像のフレームレート１０３６／１１３６、撮影モード１０３８／１１３８、画像蓄積サーバ１２への画像のアップロード方法１０４０／１１４０、画像蓄積サーバ１２へのアップロードスケジュール１０４２／１１４２、画像蓄積サーバ１２のＩＰアドレス１０４４／１１４４で構成されている。
【００１５】
画像蓄積サーバ１２のＣＰＵ１０６は、内部メモリ１０２に記憶されたプログラム１１０に従って、図５に示す処理を実行する。これによって、オペレータによるカメラ装置１６の交換やオペレータが所望する設定テーブルの読取り／書込みがスムーズに行われる。
【００１６】
最初に、ステップＳ１０１で操作メニューを表示し、オペレータに対して所望の処理の選択を促す。操作メニューには、（１）カメラ装置交換、（２）設定テーブル読取り、および（３）設定テーブル書込みの３つの項目が用意されている。項目（１）は、カメラ装置１６からのオリジナル設定テーブル２１４の読取り、カメラ装置１６の交換、新しいカメラ装置１６へのオリジナル設定テーブル２１４の書込み、といったカメラ装置１６の交換に必要な一連の作業するときに実行される。項目（２）は、任意のカメラ装置１６のオリジナル設定テーブル２１４を読取り、画像貯蓄サーバ１２に保存する、といったオリジナル設定テーブル２１４を読取る作業のみを行うときに実行される。項目（３）は、ＨＤＤ１０４に保存されたテーブル１１０を任意の設定テーブルを任意のカメラ装置１６に書込む、といったサンプル設定テーブル１１２の書込み作業のみを行うときに実行される。
【００１７】
まず、ステップＳ１０１で項目（１）が選択された場合を説明する。カメラ装置の交換作業の開始を知らせるため、ステップＳ１０１で項目（１）を選択する操作が行われる。選択操作を受付けると、ステップＳ１０３でＹＥＳと判断され、ステップＳ１０５に進む。ステップＳ１０５では、カメラ装置１６からオリジナル設定テーブル２１４を読取り、当該オリジナル設定テーブル２１４を読取り元のカメラ装置１６のカメラＩＤと関連付けた状態で内部メモリ１０２に保存する。ステップＳ１０５の設定テーブル読取り処理の詳細については、後述する。
【００１８】
ステップＳ１０７の処理が終わると、ステップＳ１０９で「カメラ装置を交換し、新しいカメラ装置の設定をデフォルト設定状態にしてください。」とメッセージを表示する。オペレータが、カメラ装置１６を別のカメラ装置１６に交換し、交換後のカメラ装置１６をデフォルト設定状態にし、その後、画像蓄積サーバ１２に対して交換終了操作を行うと、次のステップＳ１１１に進む。
【００１９】
ステップＳ１１１では、交換前のカメラ装置１６のカメラＩＤが割り当てられたオリジナル設定テーブルを内部メモリ１０２から読み出し、読み出したオリジナル設定テーブル２１４を交換後のカメラ装置１６に書込む。ステップＳ１１１の設定テーブル書込み処理の詳細については、後述する。ステップＳ１１１で設定テーブル書込み処理が完了すると、カメラ交換プロセスは終了する。
【００２０】
次に、ステップＳ１０１で項目（２）が選択された場合を説明する。カメラ装置からの設定データの読取り作業の開始を知らせるために、ステップＳ１０１で項目（２）を選択する操作が行われる。選択操作を受付けると、ステップＳ１０３でＮＯと判断し、ステップＳ１１３に進む。ステップＳ１１３では、ステップＳ１０１で項目（２）が選択されたかの判断を行うので、判断結果がＹＥＳとなりステップＳ１１５に進む。ステップＳ１１５では、カメラ装置１６から設定テーブル２１４を読取り、このオリジナル設定テーブル２１４を読取り元のカメラ装置のカメラＩＤに関連付けた状態でＨＤＤ１０４に保存する。ステップＳ１１５の設定テーブル読取り処理の詳細については、後述する。ステップＳ１１５の読取り処理が完了すると、カメラ交換プロセスが終了する。
【００２１】
次に、ステップＳ１０１で項目（３）が選択された場合を説明する。カメラ装置の設定データ書込み作業の開始を知らせるため、ステップＳ１０１で項目（３）を選択する操作が行われる。選択操作を受付けると、ステップＳ１０３でＮＯと判断され、ステップＳ１１３に進む。さらに、ステップＳ１１３でもＮＯと判断され、ステップＳ１１７に進む。ステップＳ１１７では、ＨＤＤ１０４に保存されているサンプル設定テーブル１１２の全てを表示し、オペレータに所望のサンプル設定テーブル１１２の選択を促す。オペレータによる設定テーブルの選択が完了すると、ステップＳ１１９に進み、選択されたサンプル設定テーブル１１２をオリジナル設定テーブル２１４とする。代入が完了すると、ステップＳ１２１に進み、「設定を書込みたいカメラ装置をデフォルト設定状態にして、ネットワークに接続してください。」のメッセージを表示する。オペレータがデフォルト設定状態のカメラ装置１６をネットワーク内に用意し、画像蓄積サーバに対して準備完了操作を行うと、ステップＳ１２１からステップＳ１１１に進む。ステップＳ１１１では、選択されたサンプル設定テーブル１１２をデフォルト状態のカメラ装置１６に書込む。ステップＳ１１１の設定テーブル書込み処理の詳細については、後述する。ステップＳ１１１で設定テーブル書込み処理が完了すると、カメラ交換プロセスは終了する。
【００２２】
以上がカメラ交換プロセスのフローの説明である。次に、図５のフローの説明で詳細説明を省略したステップＳ１０５およびステップＳ１１５の“設定テーブル読取り処理”とステップＳ１１１の“設定テーブル書込み処理”の説明をする。
【００２３】
まず、ステップＳ１０５およびステップＳ１１５の“設定テーブル読取り処理”について説明するが、“設定テーブル読取り処理”は図６および図７で示すフローに従って実行される。画像蓄積サーバ１２はまず、ステップＳ３０１でカメラ装置１６、１６、…、と通信をするための通信クライアントを立ち上げる。次のステップＳ３０３では、オリジナル設定テーブル２１４を読取るカメラ装置１６を指定する。指定方法は、カメラＩＤによる指定方法とＩＰアドレスによる指定方法との２つが用意されており、どちらの方法でも指定できるようになっている。次のステップＳ３０５では、ステップＳ３０３でカメラＩＤによる指定が選択されたかどうかを判断し、カメラＩＤによる指定が選択された場合はステップＳ３０７に進み、ＩＰアドレスによる指定された場合はステップＳ３０７を飛ばしステップＳ３０９に進む。ステップＳ３０７では、カメラＩＤ−ＩＰアドレス相対表からステップＳ３０３で指定されたカメラＩＤに対するＩＰアドレスを取得する。カメラＩＤ−ＩＰアドレス相対表について、この実施例では詳しい説明を省略するが、カメラ装置１６と画像蓄積サーバ１２とが最初に接続されたときに作成されるカメラＩＤとＩＰアドレスの相対表のことである。
【００２４】
次のステップＳ３０９では、ステップＳ３０３〜ステップＳ３０７の処理で得られたＩＰアドレスを変数“ＲＥＡＤ＿ＩＰ”に代入する。以後、変数“ＲＥＡＤ＿ＩＰ”を参照するだけで、オペレータが指定したカメラ装置１６を特定することができる。
【００２５】
次に、ステップＳ３１１で、ＩＰアドレスが変数“ＲＥＡＤ＿ＩＰ”のカメラ装置１６に対しオリジナル設定テーブル２１４の読出しを要求する。次のステップＳ３１３ではカメラ装置１６からのオリジナル設定テーブル２１４の返信があるかどうかを判断する。返信がある場合はステップＳ３１５に処理が進み、返信されたオリジナル設定テーブル２１４を返信元のカメラ装置１６のカメラＩＤと関連付けた状態でＨＤＤ１０４に保存する。この時、同時に、オリジナル設定テーブル２１４をサンプル設定テーブル１１２としても保存する。オリジナル設定テーブル２１４、およびサンプル設定テーブル１１２の保存が完了すると、ステップＳ３１７で通信クライアントを停止し、メインルーチンに処理が戻る。
【００２６】
一方、ステップＳ３１３で、カメラ装置１６からのオリジナル設定テーブル２１４の返信がない場合は、ステップＳ３１３〜ステップＳ３１９の繰り返しによってカメラ装置１６からの返信を待つ。所定時間が経過しても返信がない場合はエラー処理へと移る。エラー処理では、オリジナル設定テーブル２１４を正常に取り出せなかった旨をオペレータに知らせるために、オペレータの操作画面にエラーメッセージを表示するとともに、エラーログを残す処理を行う。エラー処理が終了したら、メインルーチンに処理が戻る。
【００２７】
次に、ステップＳ１１１の“設定テーブル書込み処理”についての説明をする。“設定テーブル書込み処理”は、図８で示すフローに従って実行される。画像蓄積サーバ１２はまず、ステップＳ５０１でカメラ装置１６と通信をするために通信クライアントを立ち上げる。次のステップＳ５０３で、ＨＤＤ１０４に保存されたオリジナル設定テーブル２１４を取得する。オリジナル設定テーブル２１４の取得が完了すると、ステップＳ５０５にてこのオリジナル設定テーブル２１４の内容をチェックする。具体的には、設定しようとしているＩＰアドレスがすでにネットワーク内で使われていないか、設定しようとしているＩＰアドレスをカメラ装置１６に設定しても通信可能になるか、設定しようとしているカメラＩＤが他のカメラ装置１６と競合していないか、画像アップロード方法は画像蓄積サーバ１２が対応しているものか、画像蓄積サーバアドレスが画像蓄積サーバ１２のＩＰアドレスになっているか等をチェックし、内容に不具合があればエラー処理を行う。不具合がなければステップＳ５０７に進み、デフォルト設定テーブルのＩＰアドレスで設定されているカメラ装置１６に対しオリジナル設定テーブル２１４を送信する。なお、ステップＳ５０７の実行時、オペレータは設定テーブル書込みのターゲットとなるカメラ装置１６のＩＰアドレスをデフォルト設定テーブル２１２の設定値のＩＰアドレス（デフォルトＩＰアドレス）となるようにネットワーク上にセッティングしておく。このように、カメラ装置１６をセッティングすることにより、画像蓄積サーバ１２はデフォルトＩＰアドレスに対してオリジナル設定テーブル２１４を送信すればよいことになる。さらに、カメラ装置１６は、設定値をリセットすればデフォルト設定テーブル２１２による設定値で動作し、この状態で画像蓄積サーバ１２からオリジナル設定テーブル２１４を受信することができる。カメラ装置１６がオリジナル設定テーブル２１４を受信した後再起動すると、オリジナル設定テーブル２１４の設定値でカメラ装置１６は動作する。つまり、ＩＰアドレスについても、オリジナル設定テーブル２１４の設定値が使われるので、新たにオリジナル設定テーブルを受信し更新したカメラ装置１６のＩＰアドレスは、オリジナル設定テーブル２１４がもともとあったカメラ装置１６のＩＰアドレスと同じＩＰアドレスとなる。
【００２８】
次に、ステップＳ５０９で送信したオリジナル設定テーブル２１４がカメラ装置１６に正常に書込まれたかどうかを判断する。書込みが正常に行われた場合は成功メッセージがカメラ装置１６から返送され、書込みが正常に行われなかった場合は失敗メッセージがカメラ装置１６から返送される。このため、返送されたメッセージの内容によってステップＳ５０９の判断が行われる。成功メッセージが返送されたときはステップＳ５１１に進み、通信クライアントを停止して、メインルーチンに処理を戻す。また、成功メッセージの返送がない場合は、ステップＳ５１３に移り、タイムアウトでない場合はＳ５０９に戻り再びカメラ装置１６からのメッセージの返送を待つ。一方、タイムアウトとなるか失敗メッセージがカメラ装置１６から返送された場合は、ステップＳ５１３でＹＥＳと判断し、エラー処理を行う。
【００２９】
以上が、画像蓄積サーバ１２で実行される処理を説明したものである。これにより、カメラ装置１６からオリジナル設定テーブル２１４の受信および保存が実現される。また、オペレータの所望するタイミングで、画像蓄積サーバ１２からカメラ装置１６にオリジナル設定テーブルを送信し、カメラ装置１６の設定を変更することができる。この結果、カメラ装置１６の交換の際に発生していた各種の設定作業の効率化が図られる。
【００３０】
次に、カメラ装置１６で実行される処理について説明する。カメラ装置１６は起動時に図９に示すフローに従い起動することによって、デフォルト設定テーブル２１２の設定値またはオリジナル設定テーブルの設定値に従う設定を行う。以下に詳しく図９のフローについて説明する。なお、図９のフローならびに後述する図１０および図１１のフローはフラッシュメモリ２０４内のプログラム２１６に対応する。
【００３１】
まず、カメラ装置１６の電源が投入されると、図９のフローの実行が開始する。最初に、ステップＳ２０１で、カメラ装置１６の設定変数にデフォルト設定テーブル２１２の設定値を代入する。次に、ステップＳ２０３で、フラッシュメモリ２０４内のオリジナル設定テーブル２１４を参照し、次のステップＳ２０５で所望の設定値がオリジナル設定テーブルに存在するかどうかを判定する。オリジナル設定テーブル２１４に設定値が存在する場合、ステップＳ２０７で当該設定値を設定変数に代入し、ステップＳ２０９に進む。一方、オリジナル設定テーブル２１４に設定値が存在しない場合は、ステップＳ２０７を飛ばしステップＳ２０９に進む。ステップＳ２０９では、設定変数に基づきＩ／Ｆ２０６を設定し、外部とネットワーク２０を通じて通信できるようにする。ステップＳ２０９の設定が完了すると、ステップＳ２１１で画像蓄積サーバ１２と通信するための通信サーバ（図示せず）を立ち上げる。最後に、ステップＳ２１３で設定変数に従って撮像タスクを起動し、起動プロセスを終了する。
【００３２】
次に、カメラ装置１６が、画像蓄積サーバ１２と設定テーブル２１４の送受信を行う際に実行される処理について説明する。まず、画像蓄積サーバ１２がカメラ装置１６のオリジナル設定テーブル２１４を読取るときに、図５のステップＳ１０５またはステップＳ１１５の“設定テーブル読取り処理”を実行しているのに対し、カメラ装置１６側は図１０のフローを実行する。
【００３３】
まず、ステップＳ４０１で、通信サーバによって画像蓄積サーバ１２からのオリジナル設定テーブル２１４の読取り要求を受付ける。次に、ステップＳ４０３でフラッシュメモリ２０４からオリジナル設定テーブル２１４を取得し、次のステップＳ４０５でこのオリジナル設定テーブル２１４を通信サーバ経由で画像蓄積サーバ１２に対し送信する。画像蓄積サーバ１２への送信が完了すると、メインルーチンに処理を戻す。
【００３４】
画像蓄積サーバ１２がカメラ装置１６にオリジナル設定テーブル２１４またはサンプル設定テーブル１１２を書込む場合については、画像蓄積サーバ１２が図５のステップＳ１１１の“設定テーブル書込み処理”を実行しているのに対し、カメラ装置１６側は図１１のフローを実行する。
【００３５】
まず、ステップＳ６０１で、画像蓄積サーバ１２から送信されたオリジナル設定テーブル２１４またはサンプル設定テーブル１１２を受付ける。次に、受付けた設定テーブルの内容をステップＳ６０３でチェックする。具体的には、設定テーブルの内容が設定するカメラ装置１６に対応しているものかを確認する。設定テーブルに不具合があれば、ステップＳ６１３で画像蓄積サーバ１２にエラーを返し、メインルーチンに戻る。設定テーブルに不具合がなければ、ステップＳ６０５に処理が移り、フラッシュメモリ２０４内にあるオリジナル設定テーブル２１４を受付けた設定テーブルによって上書きする。したがって、受付けた設定テーブルがサンプル設定テーブル１１２であれば、このサンプル設定テーブル１１２がこれ以降のオリジナル設定テーブル２１４となる。次のステップＳ６０７で、設定テーブルの書込み成否を判定する。書込みが成功したら、ステップＳ６０９で画像蓄積サーバ１２に成功メッセージを返し、次のステップＳ６１１でカメラ装置１６を再起動する。カメラ装置１６を再起動するのは、新しくなったオリジナル設定テーブル２１４によってカメラ装置１６全体を再設定するためである。一方、設定テーブルの書込みを失敗したら、ステップＳ６１３で画像蓄積サーバ１２に失敗メッセージを返し、メインルーチンに処理を戻す。
【００３６】
以上が、カメラ装置１６で実行される処理についての説明である。これによりカメラ装置１６は、画像蓄積サーバ１２からの要求に対しオリジナル設定テーブル２１４を送信したり、画像蓄積サーバ１２から送信された設定テーブルを受信して、カメラ装置１６に書込んだりすることが可能となる。
【００３７】
この実施例では、図１に示すように、画像蓄積サーバ１２が１台とカメラ装置１６が３台ずつの構成としているが、画像蓄積サーバ１２が複数台あってもよいし、カメラ装置１６が３台より多い、もしくは少ない台数となってもよい。また、ネットワーク２０はインターネットを介してものとしてもよい。
【００３８】
画像蓄積サーバ１２とカメラ装置１６との通信について、カメラ装置１６側をサーバとし画像蓄積サーバ側をクライアントとするサーバ＆クライアント方式で通信しているが、画像蓄積サーバ側をサーバとしカメラ装置１６側をクライアントとする方式を採用してもよい。さらに、サーバ＆クライアント方式でリアルタイムに通信を行わなくても、例えば、電子メールを使ったリアルタイムでない通信を利用してもよい。
【００３９】
画像蓄積サーバ１２から設定テーブルをカメラ装置１６に送信する際について、カメラ装置１６のＩＰアドレスをデフォルトＩＰアドレスとした。しかし、設定テーブルを受信するカメラ装置１６のＩＰアドレスを画像蓄積サーバ１２に知らせる手段を提供すれば、カメラ装置１６のＩＰアドレスは任意のＩＰアドレスでもよい。
また、オペレータの所望する設定値であるオリジナル設定テーブルおよびサンプル設定テーブルを作成するために、オリジナル設定テーブルおよびサンプル設定テーブルの設定値を編集する編集機能を追加してもよい。
【図面の簡単な説明】
【図１】この発明の遠隔監視システムのシステム構成を示す図解図である。
【図２】画像蓄積サーバの構成を示すブロック図である。
【図３】カメラ装置の構成を示すブロック図である。
【図４】デフォルト設定テーブルおよびオリジナル設定テーブルを示す図解図である。
【図５】画像蓄積サーバの動作の一部を示すフロー図である。
【図６】画像蓄積サーバの動作の他の一部を示すフロー図である。
【図７】画像蓄積サーバの動作のその他の一部を示すフロー図である。
【図８】画像蓄積サーバの動作のさらにその他の一部を示すフロー図である。
【図９】カメラ装置の動作の一部を示すフロー図である。
【図１０】カメラ装置の動作の他の一部を示すフロー図である。
【図１１】カメラ装置の動作のその他の一部を示すフロー図である。
【符号の説明】
１２…画像蓄積サーバ
１６…カメラ装置
２０…ネットワーク
【図１】
2004096580.tif 000003
【図２】
2004096580.tif 000004
【図３】
2004096580.tif 000005
【図４】
2004096580.tif 000006
【図５】
2004096580.tif 000007
【図６】
2004096580.tif 000008
【図７】
2004096580.tif 000009
【図８】
2004096580.tif 000010
【図９】
2004096580.tif 000011
【図１０】
2004096580.tif 000012
【図１１】
2004096580.tif 000013